(57)【要約】【課題】円柱状部材を容易に搬入又は搬出することができ、また、搬入又は搬出に必要な作業時間を短縮することができ、かつ、収納スペースを小さくすることができる円柱状部材収納ラックを提供すること。【解決手段】円柱状部材収納ラック１００は、複数の円柱状部材９０を収納することができ、円柱状部材９０を搬入するための開口部１６を有する収納筐体１０と、収納筐体１０に設けられて収納筐体１０内で各円柱状部材９０を支持することができる円柱状部材支持アーム２０と、収納筐体１０に設けられて収納筐体１０を支持する筐体脚部３０と、筐体脚部３０に設けられた筐体キャスター３１と、を備えている。収納筐体１０は、筐体脚部３０に対して回動自在となっており、上下方向に延在した上下方向延在位置と水平方向に延在した水平方向延在位置の両方に位置づけることができる。筐体脚部３０は、収納筐体１０が上下方向延在位置に位置づけられているときと水平方向延在位置に位置づけられているときの両方で、収納筐体１０を支持する。【選択図】図１
2014014936.tif 000002
【特許請求の範囲】
【請求項１】
複数の円柱状部材を収納することができ、前記円柱状部材を搬入又は搬出するための開口部を有する収納筐体と、
前記収納筐体に設けられ、前記収納筐体内で各円柱状部材を支持することができる円柱状部材支持アームと、
前記収納筐体に設けられ、前記収納筐体を支持する筐体脚部と、
前記筐体脚部に設けられた筐体キャスターと、を備え、
前記収納筐体は、前記筐体脚部に対して回動自在となっており、上下方向に延在した上下方向延在位置と水平方向に延在した水平方向延在位置の両方に位置づけることができ、
前記筐体脚部は、前記収納筐体が前記上下方向延在位置に位置づけられているときと前記水平方向延在位置に位置づけられているときの両方で、前記収納筐体を支持することを特徴とする円柱状部材収納ラック。
【請求項２】
前記収納筐体に設けられ、前記収納筐体が前記水平方向延在位置に位置づけられているときに、前記収納筐体を支持する補助脚部をさらに備えたことを特徴とする請求項１に記載の円柱状部材収納ラック。
【請求項３】
前記補助脚部は、前記収納筐体に対して回動自在となっており、
前記収納筐体が前記上下方向延在位置に位置づけられているときに、前記補助脚部を上下方向に延在するように位置づけることができることを特徴とする請求項２に記載の円柱状部材収納ラック。
【請求項４】
前記補助脚部に設けられた補助キャスターと、
前記補助キャスターが移動することを防止することができるストッパと、
をさらに備えたことを特徴とする請求項２又は３のいずれかに記載の円柱状部材収納ラック。
【請求項５】
前記収納筐体は前記上下方向延在位置に位置づけられたときの前面側が開口しており、
前記収納筐体の前面側に位置づけることができる前面側押さえ部材をさらに備えたことを特徴とする請求項１乃至４のいずれか１項に記載の円柱状部材収納ラック。
【請求項６】
前記収納筐体が前記上下方向延在位置に位置づけられたときにおける前記円柱状部材支持アームの上面又は上面及び下面に、第一保護部材が設けられることを特徴とする請求項１乃至５のいずれか１項に記載の円柱状部材収納ラック。
【請求項７】
前記収納筐体が前記上下方向延在位置に位置づけられたときにおける前記収納筐体の背面内方側の面に、第二保護部材が設けられることを特徴とする請求項１乃至６のいずれか１項に記載の円柱状部材収納ラック。
【請求項８】
前記開口部は、前記収納筐体が前記上下方向延在位置に位置づけられているときの上面に設けられ、
前記収納筐体は、前記開口部を開閉するカバー部を有し、
前記カバー部は、前記収納筐体が前記水平方向延在位置に位置づけられているときに、開状態にすることができることを特徴とする請求項１乃至７のいずれか１項に記載の円柱状部材収納ラック。
【請求項９】
前記カバー部が閉状態にあるときの前記カバー部の前記収納筐体の内方側の面に、第三保護部材が設けられることを特徴とする請求項８に記載の円柱状部材収納ラック。
【請求項１０】
前記収納筐体は、前記上下方向延在位置に位置づけられたときの背面側に位置する背面部を有し、
前記円柱状部材支持アームは、前記背面部から突出して前記円柱状部材を支持することができる突出位置と、前記背面部内に収納される退避位置の少なくとも２つの位置を取ることができることを特徴とする請求項１乃至９のいずれか１項に記載の円柱状部材収納ラック。
【請求項１１】
前記円柱状部材支持アームは、前記背面部に対して回動自在となり、前記背面部側に回動することで前記退避位置に位置づけられることを特徴とする請求項１０に記載の円柱状部材収納ラック。
【発明の詳細な説明】
【技術分野】
【０００１】
本発明は、複数の円柱状部材を収納することができる円柱状部材収納ラックに関する。
【背景技術】
【０００２】
従来から、軸なし版胴等の円柱状部材を収納する場合には、床面にパレット等を置き、その上に水平方向で延在するように円柱状部材を並べ、かつ、当該円柱状部材をピラミッド状に数段積上げる方法や、床面に円柱状部材を上下方向で延在するように並べる方法が広く用いられてきた。
【０００３】
軸なし版胴等の円柱状部材をピラミッド状で載置した態様において、例えば下方の段に積まれている円柱状部材を取り出す必要が生じた場合には、その上に位置する円柱状部材の全てを一旦取除く必要がある。
【０００４】
また、円柱状部材を上下方向に延在するように載置した態様でも、収納場所の床面積が小さい場合や収納する必要のある円柱状部材の数によっては過密な状態となる。このように過密な状態になると、奥側に置かれた円柱状部材を取り出す必要が生じた場合には、手前の円柱状部材を一且取除く必要が生じ、時間と手間のかかる作業となっていた。
【０００５】
円柱状部材の一例である軸なし版胴について述べると、このような軸なし版胴を収納したり搬出したりする作業や、運搬する作業、さらには軸なし版胴を印刷機へ取り付けたり印刷機から取り外したりする作業は、一般には、機械等が用いられず人の手によって行われている。軸なし版胴の重さは約２０ｋｇ〜約４０ｋｇ前後にもなるうえ、上述のように軸なし版胴を取り出すには、軸なし版胴を持ち上げる動作を繰り返す必要があることから、作業者の腰部に障害をもたらす危険性をはらんでいた。
【０００６】
他方、円柱状部材の一例である軸つき版胴については、重量が１００ｋｇを超える場合も多く、特許文献１にあるように、軸つき版胴を収納したり搬出したりする作業や、運搬する作業、さらには軸つき版胴を印刷機へ取り付けたり印刷機から取り外したりする作業が、機械化され自動化されることが多い。
【０００７】
軸なし版胴についても軸つき版胴と同様に機械化又は自動化することも考えられるが、軸なし版胴は、軸つき版胴と比較すると、小型な機械で使用され、短ロットであり、小規模工場で使用される。このため、特許文献１にあるように、過大な費用を伴う機械化及び自動化は現実的ではないという事情がある。
【先行技術文献】
【特許文献】
【０００８】
【特許文献１】特許第３１４８０１５号
【発明の概要】
【発明が解決しようとする課題】
【０００９】
以上のような点に鑑み、本発明は、円柱状部材を容易に搬入又は搬出することができ、また、搬入又は搬出に必要な作業時間を短縮することができ、かつ、収納スペースを小さくすることができる円柱状部材収納ラックを提供する。
【課題を解決するための手段】
【００１０】
本発明による円柱状部材収納ラックは、
複数の円柱状部材を収納することができ、前記円柱状部材を搬入又は搬出するための開口部を有する収納筐体と、
前記収納筐体に設けられ、前記収納筐体内で各円柱状部材を支持することができる円柱状部材支持アームと、
前記収納筐体に設けられ、前記収納筐体を支持する筐体脚部と、
前記筐体脚部に設けられた筐体キャスターと、を備え、
前記収納筐体が、前記筐体脚部に対して回動自在となっており、上下方向に延在した上下方向延在位置と水平方向に延在した水平方向延在位置の両方に位置づけることができ、
前記筐体脚部が、前記収納筐体が前記上下方向延在位置に位置づけられているときと前記水平方向延在位置に位置づけられているときの両方で、前記収納筐体を支持する。
【００１１】
本発明による円柱状部材収納ラックは、
前記収納筐体に設けられ、前記収納筐体が前記水平方向延在位置に位置づけられているときに、前記収納筐体を支持する補助脚部をさらに備えてもよい。
【００１２】
本発明による円柱状部材収納ラックにおいて、
前記補助脚部は、前記収納筐体に対して回動自在となっており、
前記収納筐体が前記上下方向延在位置に位置づけられているときに、前記補助脚部を上下方向に延在するように位置づけてもよい。
【００１３】
本発明による円柱状部材収納ラックは、
前記補助脚部に設けられた補助キャスターと、
前記補助キャスターが移動することを防止することができるストッパと、
をさらに備えてもよい。
【００１４】
本発明による円柱状部材収納ラックにおいて、
前記収納筐体は前記上下方向延在位置に位置づけられたときの前面側が開口しており、
前記円柱状部材収納ラックは、前記収納筐体の前面側に位置づけることができる前面側押さえ部材をさらに備えてもよい。
【００１５】
本発明による円柱状部材収納ラックにおいて、
前記収納筐体が前記上下方向延在位置に位置づけられたときにおける前記円柱状部材支持アームの上面又は上面及び下面に、第一保護部材が設けられてもよい。
【００１６】
本発明による円柱状部材収納ラックにおいて、
前記収納筐体が前記上下方向延在位置に位置づけられたときにおける前記収納筐体の背面内方側の面に、第二保護部材が設けられてもよい。
【００１７】
本発明による円柱状部材収納ラックにおいて、
前記開口部は、前記収納筐体が前記上下方向延在位置に位置づけられているときの上面に設けられ、
前記収納筐体は、前記開口部を開閉するカバー部を有し、
前記カバー部は、前記収納筐体が前記水平方向延在位置に位置づけられているときに、開状態にすることができてもよい。
【００１８】
本発明による円柱状部材収納ラックにおいて、
前記カバー部が閉状態にあるときの前記カバー部の前記収納筐体の内方側の面に、第三保護部材が設けられてもよい。
【００１９】
本発明による円柱状部材収納ラックにおいて、
前記収納筐体は、前記上下方向延在位置に位置づけられたときの背面側に位置する背面部を有し、
前記円柱状部材支持アームは、前記背面部から突出して前記円柱状部材を支持することができる突出位置と、前記背面部内に収納される退避位置の少なくとも２つの位置を取ることができてもよい。
【００２０】
本発明による円柱状部材収納ラックにおいて、
前記円柱状部材支持アームは、前記背面部に対して回動自在となり、前記背面部側に回動することで前記退避位置に位置づけられてもよい。
【発明の効果】
【００２１】
本発明によれば、収納筐体が、筐体脚部に対して回動自在となっており、上下方向に延在した上下方向延在位置と水平方向に延在した水平方向延在位置の両方に位置づけることができるようになっている。
【００２２】
そして、収納筐体を水平方向延在位置に位置づけることで、円柱状部材を容易に搬入又は搬出することができ、作業時間を短縮することもできる。また、一連の作業によって作業者にもたらされる身体的負担を軽減することもできる。
【００２３】
他方、円柱状部材を保管する際に収納筐体を上下方向延在位置に位置づけることで、円柱状部材の収納スペースを小さくすることができる。
【図面の簡単な説明】
【００２４】
【図１】図１（ａ）は本発明の実施の形態による円柱状部材収納ラックの正面図であり、図１（ｂ）は当該円柱状部材収納ラックの側方図であり、図１（ｃ）は当該円柱状部材収納ラックの背面図である。
【図２】図２（ａ）は本発明の実施の形態による円柱状部材収納ラックの収納筐体が上下方向延在位置に位置づけられている際の態様を示した側方図であり、図２（ｂ）は当該収納筐体が水平方向延在位置に位置づけられている際の態様を示した側方図である。
【図３】図３は、本発明の実施の形態における円柱状部材支持アームの拡大斜視図である。
【図４】図４は、本発明の実施の形態における第一保護部材を説明するための側方断面図である。
【図５】図５は、本発明の実施の形態における第一保護部材及び第二保護部材を説明するための側方断面図である。
【図６】図６は、本発明の実施の形態における第一保護部材、第二保護部材及び第三保護部材を説明するための側方断面図である。
【図７】図７は、本発明の実施の形態の変形例を説明するための側方断面図である。
【発明を実施するための形態】
【００２５】
実施の形態
《構成》
以下、本発明に係る円柱状部材収納ラックの実施の形態について、図面を参照して説明する。ここで、図１乃至図７は本発明の実施の形態を説明するための図である。
【００２６】
図１（ａ）−（ｃ）に示すように、本実施の形態の円柱状部材収納ラック１００は、複数の（本実施の形態では５つの）円柱状部材９０を収納することができる収納筐体１０と、収納筐体１０の背面部１１（後述する）に設けられ、収納筐体１０内で各円柱状部材９０を支持することができる複数の対になった（本実施の形態では５対の）円柱状部材支持アーム２０と、を備えている。なお、図１（ａ）は本発明の実施の形態による円柱状部材収納ラックの正面図であり、図１（ｂ）は当該円柱状部材収納ラックの側方図であり、図１（ｃ）は当該円柱状部材収納ラックの背面図である。
【００２７】
円柱状部材９０としては、一例として版胴を挙げることができ、とりわけ重量の軽い軸なし版胴９０を挙げることができる。本実施の形態では、以下、円柱状部材９０として軸なし版胴９０を用いて説明するが、用いられる円柱状部材９０はもちろんこれに限られることはない。なお、このような軸なし版胴９０は、例えば輪転グラビア印刷機に用いられる。そして、軸なし版胴９０の主な材質としては鋼やアルミニウム合金が用いられ、構造は中空管となっている。軸なし版胴９０の大きさは、例えば、周長が４５０ｍｍ〜９００ｍｍであり、版幅が１１００ｍｍ〜１３００ｍｍである。ところで、軸なし版胴９０を用いる際には、ＣＭＹＢの４色と特色の５つの軸なし版胴９０がセットで用いられることが多く、本実施の形態の収納筐体１０では、このような１セットの軸なし版胴９０を一つの収納筐体１０に収納することができる。
【００２８】
図１（ａ）−（ｃ）に示すように、本実施の形態の収納筐体１０には、収納筐体１０を支持する上下方向に延在した筐体脚部３０が設けられ、当該筐体脚部３０の下端部には筐体キャスター３１が設けられている。本実施の形態では、収納筐体１０の幅方向の各端部近辺に筐体脚部３０が設けられている。そして、各筐体脚部３０は、収納筐体１０の背面部１１（後述する）に設けられた上下延在脚部３６と、上下延在脚部３６の下端に設けられ収納筐体１０の奥行き方向（図１（ｂ）の左右方向）に延在する前後延在脚部３７と、一対の前後延在脚部３７を連結する連結脚部３８と、を有している。そして、筐体キャスター３１は前後延在脚部３７の各端部に設けられ、合計４つ設けられている。
【００２９】
収納筐体１０は、筐体脚部３０に対して回動自在となっており、上下方向に延在した、すなわち筐体脚部３０と平行となった上下方向延在位置（図２（ａ）参照）と、水平方向に延在した、すなわち筐体脚部３０と直交した水平方向延在位置（図２（ｂ）参照）の両方に位置づけることができる。ところで、本願において「背面」とは、収納筐体１０が上下方向延在位置にある際における「背面」のことを意味し、「前面」とは、収納筐体１０が上下方向延在位置にある際における「前面」のことを意味する（図１（ｂ）参照）。また、本願において「上面」とは、特に断りがなければ収納筐体１０が上下方向延在位置にある際における「上面」のことを意味し、「下面」とは、特に断りがなければ収納筐体１０が上下方向延在位置にある際における「下面」のことを意味する。
【００３０】
収納筐体１０は、図１（ａ）−（ｃ）に示すように、上下方向延在位置に位置づけられたときの背面側に位置する背面部１１と、上下方向延在位置に位置づけられたときの下方側に位置する下面部１２と、を有する。
【００３１】
図２（ｂ）に示すように、収納筐体１０の上下方向延在位置に位置づけられたときの上面（図２（ｂ）においては右端の端部）には、軸なし版胴９０を搬入又は搬出するための開口部１６が設けられている。また、収納筐体１０には、開口部１６を開閉するためのカバー部１５が設けられており、当該カバー部１５は、収納筐体１０が水平方向延在位置に位置づけられているときに、カバー部１５を収納筐体１０に対して回動することで開状態にすることができるようになっている。このため、軸なし版胴９０を搬入又は搬出する際には、収納筐体１０を水平方向延在位置に位置づけ、カバー部１５を開けて、開口部１６を介して軸なし版胴９０を搬入又は搬出することができる。
【００３２】
図２（ｂ）に示すように、収納筐体１０には、収納筐体１０が水平方向延在位置に位置づけられているときに、収納筐体１０を支持する補助脚部５０が設けられている。本実施の形態では、補助脚部５０は、収納筐体１０に対して回動自在となっており、収納筐体１０が水平方向延在位置に位置づけられているときには収納筐体１０を支持するが（図２（ｂ）参照）、収納筐体１０が上下方向延在位置に位置づけられているときには上下方向に延在するように位置づけられる（図２（ａ）参照）。図２（ａ）に示されるように、収納筐体１０が上下方向延在位置に位置づけられているときには補助脚部５０は収納筐体１０を支持しない。これに対して、筐体脚部３０は、収納筐体１０が上下方向延在位置に位置づけられているときと水平方向延在位置に位置づけられているときの両方で、収納筐体１０を支持するようになっている。
【００３３】
ところで、本実施の形態では、収納筐体１０が水平方向延在位置に位置づけられているときに、筐体脚部３０及び補助脚部５０によって収納筐体１０が支持されるようになっているが、収納筐体１０が水平方向延在位置に位置づけられているときに固定される態様であれば、本実施の形態のような補助脚部５０が設けられている必要は必ずしもない。
【００３４】
本実施の形態では、補助脚部５０の下端部に補助キャスター５１が設けられ、当該補助キャスター５１に隣接した位置に、補助キャスター５１が移動することを防止するためのストッパ５２が設けられている。なお、筐体キャスター３１の隣接した位置にも、筐体キャスター３１が移動することを防止するためのストッパ３２が設けられている。図１及び図２に示した態様では、背面側に位置する筐体キャスター３１のみにストッパ３２が設けられているが、当然、このような態様に限られることはなく、背面側の筐体キャスター３１に代えて又は加えて、前面側に位置する筐体キャスター３１にストッパを設けることができる。
【００３５】
図１（ｂ）に示すように、本実施の形態の収納筐体１０は、上下方向延在位置に位置づけられたときの前面側が開口している。そして、図１（ａ）（ｂ）に示すように、収納筐体１０には、収納筐体１０の前面側に位置づけることができる押さえベルト（前面側押さえ部材）４０が設けられている。本実施の形態では、前面側押さえ部材として押さえベルト４０を用いて説明するが、前面側の開口から軸なし版胴９０が落下することを防止することができるものであれば、当然、これに限られない。なお、押さえベルト４０には、収納筐体１０に設けられ、当該押さえベルト４０を巻き取るための巻き取り機構４１が設けられている。
【００３６】
図４に示すように、円柱状部材支持アーム２０の表面には、樹脂、ゴム等の弾性部材や布等からなる第一保護部材６１ａ，６１ｂが設けられている。具体的には、円柱状部材支持アーム２０の表面のうち、収納筐体１０が上下方向延在位置に位置づけられたときの上面に第一保護部材６１ａが設けられ（図３参照）、下面に第一保護部材６１ｂが設けられている。
【００３７】
また、図５に示すように、本実施の形態の収納筐体１０が上下方向延在位置に位置づけられたときにおける収納筐体１０の背面内方側に、第二保護部材６２が設けられている。この第二保護部材６２も第一保護部材６１ａ，６１ｂと同様に樹脂、ゴム等の弾性部材や布等からなっている。
【００３８】
さらに、本実施の形態では、図６に示すように、カバー部１５が閉状態にあるときのカバー部１５の収納筐体１０の内方側の面には、第三保護部材６３が設けられている。この第三保護部材６３も第一保護部材６１ａ，６１ｂ及び第二保護部材６２と同様に樹脂、ゴム等の弾性部材や布等からなっている。
【００３９】
円柱状部材支持アーム２０は、背面部１１から突出して軸なし版胴９０を支持することができる突出位置（図２（ａ）の各円柱状部材支持アーム２０と、図２（ｂ）の左側から３番目までの円柱状部材支持アーム２０を参照）と、背面部１１内に収納される退避位置（図２（ｂ）の左側から４番目及び５番目の円柱状部材支持アーム２０を参照）の２つの位置を取ることができる。より具体的には、円柱状部材支持アーム２０は、収納筐体１０の背面部１１に対して回動自在となり、前面側に回動することで背面部１１から突出した突出位置に位置づけられ、背面部１１側に回動することで背面部１１内に収納された退避位置に位置づけられる。
【００４０】
収納筐体１０の材質の一例としては鋼（例えば鋼板ｔ３．２、鋼角管等）、ＳＵＳ等を挙げることができるが、複数の軸なし版胴９０を収納することができるだけの強度を有するものであれば、これに限られることはない。
【００４１】
本実施の形態の収納筐体１０の大きさは、例えば、幅が１２２０ｍｍであり、高さが１２４５ｍｍであり、奥行きが２３０ｍｍとなっている。本実施の形態の円柱状部材収納ラック１００の大きさは、例えば、幅が１２２０ｍｍであり、高さが１４７０ｍｍであり、奥行きが３９０ｍｍである。
【００４２】
《作用・効果》
次に、上述した構成からなる本実施の形態による作用・効果について説明する。
【００４３】
本実施の形態では、図２（ａ）（ｂ）に示すように、収納筐体１０が、筐体脚部３０に対して回動自在となっており、上下方向に延在した上下方向延在位置と水平方向に延在した水平方向延在位置の両方に位置づけることができるようになっている。このため、収納筐体１０内に軸なし版胴９０を搬入又は搬出するときには、収納筐体１０を水平方向延在位置に位置づけることで、軸なし版胴９０を開口部１６から容易に搬入又は搬出することができ、また、作業時間を短縮することもできる。また、一連の作業によって作業者にもたらされる身体的負担を軽減することもできる。
【００４４】
すなわち、従来、軸なし版胴９０等の円柱状部材を収納する場合には、床面にパレット等を置き、その上に水平方向で延在するように円柱状部材を並べ、かつ、円柱状部材をピラミッド状に数段積上げる方法や、床面に円柱状部材を上下方向で延在するように並べる方法が広く用いられてきた。そして、軸なし版胴９０等の円柱状部材をピラミッド状で載置した態様において、例えば下方の段に積まれている円柱状部材を取り出す必要が生じた場合には、その上に位置する円柱状部材の全てを一旦取除く必要が生じていた。他方、円柱状部材を上下方向に延在するように載置した態様でも、過密な状態で円柱状部材が載置される場合において、奥側に置かれた円柱状部材を取り出す必要が生じた場合には、手前の円柱状部材を一且取除く必要が生じ、時間と手間のかかる作業となっていた。そして、円柱状部材の一例である軸なし版胴９０の重さは約２０ｋｇ〜約４０ｋｇ前後にもなるので、一連の作業によって作業者にもたらされる身体的負担は大きなものとなっていた。
【００４５】
これに対して、本実施の形態によれば、収納筐体１０内に軸なし版胴９０を搬入又は搬出するときに、作業者の腰の高さほど（１ｍほど）の位置に収納筐体１０を水平方向で延在するよう位置づけることができ、かつ、収納筐体１０内で軸なし版胴９０を転がすだけで軸なし版胴９０を開口部１６から搬入又は搬出することができるので、軸なし版胴９０を容易にかつ短時間で搬入又は搬出することができる。そして、このような態様から、床面から軸なし版胴９０を持ち上げる動作を行う必要が無くなるので、一連の作業によって作業者にもたらされる身体的負担（とりわけ腰部への負担）を軽減することもでき、身体的な障害（腰部への障害）がもたらされる危険性を大幅に低減することができる。
【００４６】
さらに、本実施の形態によれば、軸なし版胴９０を保管する際に収納筐体１０を上下方向延在位置に位置づけることで、軸なし版胴９０の収納スペースを小さくすることができる。
【００４７】
なお、本実施の形態に構造は、特別な機械設備を用いる必要がなく、簡易かつ安価で実現することができ、有益である。
【００４８】
また、本実施の形態によれば、収納筐体１０の前面側が開口しており、収納筐体１０内で収納されている軸なし版胴９０の絵柄や軸なし版胴９０に付されたラベルを作業者が容易に確認することができる。この点、従来のように軸なし版胴９０がピラミッド状で載置されると、軸なし版胴９０の絵柄や軸なし版胴９０に付されたラベルを作業者が確認することができないことから、この点においても、本実施の形態による円柱状部材収納ラック１００は有益な効果を有している。
【００４９】
また、本実施の形態では筐体キャスター３１が設けられているので、収納筐体１０が上下方向延在位置に位置づけられた状態で円柱状部材収納ラック１００を移動させることができる。このため、収納筐体１０が上下方向延在位置に位置づけられた状態の円柱状部材収納ラック１００が複数個並べられて収納されていても、必要な軸なし版胴９０を収納した円柱状部材収納ラック１００を容易に取り出すことができる。
【００５０】
ところで、本願の発明者が実際に実験を行って見たところによると、従来のように、軸なし版胴９０を３段のピラミッド状で載置した態様において、最下層の版胴を取り出すのに（すなわち、３本の軸なし版胴９０と取り除いて、１本の軸なし版胴９０を取り出すのに）は１名の作業で１０分程度かかったが、本実施の形態によれば、円柱状部材収納ラック１００を筐体キャスター３１で移動させるだけでよく、１名の作業で１分程度の時間で必要な軸なし版胴９０を取り出すことができた。
【００５１】
また、本実施の形態では、筐体キャスター３１が移動することを防止するためのストッパ３２が設けられているので、収納筐体１０を上下方向延在位置に位置づけられた状態で停止させることができ、倉庫等で円柱状部材収納ラック１００を保管している際に、円柱状部材収納ラック１００が移動してしまうことを防止することができる。
【００５２】
また、本実施の形態では、収納筐体１０が水平方向延在位置に位置づけられているときに、収納筐体１０を支持する補助脚部５０が設けられている（図２（ｂ）参照）。このため、収納筐体１０を安定した状態で水平方向延在位置に位置づけることができる。
【００５３】
また、補助脚部５０は収納筐体１０に対して回動自在となっており、収納筐体１０が上下方向延在位置に位置づけられているときに、補助脚部５０を上下方向に延在するように位置づけることができる（図２（ａ）参照）。このため、収納時に、補助脚部５０によって水平方向のスペースが無駄に取られることを防止することができる。
【００５４】
また、本実施の形態では、補助脚部５０の下端部に補助キャスター５１が設けられている。このため、収納筐体１０を水平方向延在位置に位置づけた状態で自在に移動させることができ、収納筐体１０をわざわざ上下方向延在位置に位置づけることなく、収納筐体１０を水平方向延在位置に位置づけた状態で円柱状部材収納ラック１００を移動させることができる。
【００５５】
また、図２（ａ）（ｂ）に示すように、補助キャスター５１に隣接した位置には、補助キャスター５１が移動することを防止することができるストッパ５２が設けられており、筐体キャスター３１に隣接した位置にも、筐体キャスター３１が移動することを防止するためのストッパ３２が設けられている。このため、収納筐体１０から軸なし版胴９０を取り出す際に、当該ストッパ３２，５２で筐体キャスター３１及び補助キャスター５１が移動することを防止することができる。このため、安定した状態で、収納筐体１０から軸なし版胴９０を取り出すことができる。
【００５６】
また、図１（ａ）（ｂ）に示すように、本実施の形態の収納筐体１０には、上下方向延在位置に位置づけられたときの収納筐体１０の前面側に位置づけることができる一対の押さえベルト（前面側押さえ部材）４０が設けられているので、収納筐体１０が上下方向延在位置に位置づけられたときに前面側から軸なし版胴９０が落下することを防止することができる。
【００５７】
また、図４に示すように、本実施の形態では、円柱状部材支持アーム２０の表面に、樹脂、ゴム等の弾性部材や布等からなる第一保護部材６１ａ，６１ｂが設けられている。このため、軸なし版胴９０が傷つくことを防止することができる。なお、本実施の形態では、収納筐体１０が上下方向延在位置に位置づけられたときには、第一保護部材６１ａによって軸なし版胴９０が傷つくことを防止することができ、収納筐体１０が水平方向延在位置に位置づけられたときには、第一保護部材６１ａ及び第一保護部材６１ｂの両方によって軸なし版胴９０が傷つくことを防止することができる。
【００５８】
また、図５に示すように、本実施の形態では、収納筐体１０の背面部１１の内方側の面に、樹脂、ゴム等の弾性部材や布等からなる第二保護部材６２が設けられている。このため、やはり、収納筐体１０が上下方向延在位置に位置づけられたときと水平方向延在位置に位置づけられたときの両方において、軸なし版胴９０が傷つくことを防止することができる。
【００５９】
さらに、図６に示すように、本実施の形態では、カバー部１５の収納筐体１０の内方側の面に、樹脂、ゴム等の弾性部材や布等からなる第三保護部材６３が設けられている。このため、収納筐体１０が水平方向延在位置に位置づけられたときに、軸なし版胴９０が傷つくことを防止することができる。
【００６０】
本実施の形態では、円柱状部材支持アーム２０が、収納筐体１０の背面部１１に対して回動自在となり、背面部１１側に回動することで収納筐体１０内に収納されて退避位置に位置づけられることとなる（図２（ｂ）参照）。このため、収納筐体１０を水平方向延在位置に位置づけて収納筐体１０から軸なし版胴９０を取り出す際に、取り出す軸なし版胴９０よりも開口部１６側に位置する円柱状部材支持アーム２０を退避位置に位置づけることで（図２（ｂ）では右側から１番目と２番目の円柱状部材支持アーム２０が退避位置に位置づけられている。）、開口部１６に向かった軸なし版胴９０を転がすだけで、軸なし版胴９０を取り出すことができる。なお、本実施の形態では、上述のように、収納筐体１０の背面部１１に第二保護部材６２が設けられているので、このように軸なし版胴９０を転がすことで軸なし版胴９０が傷つくことを防止することができる。
【００６１】
なお、本実施の形態では、収納筐体１０には、開口部１６を開閉するためのカバー部１５が設けられており、開口部１６から軸なし版胴９０を取り出す際以外は、当該カバーで開口部１６を覆うことができる。このため、水平方向延在位置に位置づけられた際において、開口部１６から軸なし版胴９０が誤って落ちることを防止することができる。
【００６２】
ところで、円柱状部材支持アーム２０の各々は、突出位置において、背面部１１に対して直交して延在するのではなく、図７に示すように、収納筐体１０の上下方向延在位置において軸なし版胴９０が載置される側の面が背面部１１に対して鈍角αになるようになっていてもよい。このような態様によれば、収納筐体１０を水平方向延在位置に位置づけた際に、軸なし版胴９０の載置されていない円柱状部材支持アーム２０が、不意に収納筐体１０側に倒れ込んでしまう（すなわち、不意に退避位置に位置づけられる）ことを防止することができる。
【００６３】
最後になったが、上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００６４】
１０        収納筐体
１１        背面部
１２        下面部
１５        カバー部
１６        開口部
２０        円柱状部材支持アーム
３０        筐体脚部
３１        筐体キャスター
４０        押さえベルト（前面側押さえ部材）
５０        補助脚部
５１        補助キャスター
６１ａ，６１ｂ  第一保護部材
６２        第二保護部材
６３        第三保護部材
９０        円柱状部材
１００      円柱状部材収納ラック
【図１】
2014014936.tif 000003
【図２】
2014014936.tif 000004
【図３】
2014014936.tif 000005
【図４】
2014014936.tif 000006
【図５】
2014014936.tif 000007
【図６】
2014014936.tif 000008
【図７】
2014014936.tif 000009